(57)【要約】【課題】電動送風機から外部へ放出される騒音を抑制する。【解決手段】吸引ホース部と掃除機本体とを備え、前記掃除機本体は、前記吸引ホース部が接続される集塵ユニットと、前記吸引ホース部から前記集塵ユニットを介して空気を吸引する電動送風機とを備え、前記電動送風機は、前記集塵ユニットより前方側に配置され、前記掃除機本体は、前記集塵ユニットの下方に配置され前記電動送風機からの排気を後方に導く下部流路をさらに備える電気掃除機。【選択図】図１３
2014068793.tif 000002
【特許請求の範囲】
【請求項１】
吸引ホース部と掃除機本体とを備え、
前記掃除機本体は、
前記吸引ホース部が接続される集塵ユニットと、
前記吸引ホース部から前記集塵ユニットを介して空気を吸引する電動送風機とを備え、
前記電動送風機は、前記集塵ユニットより前方側に配置され、
前記掃除機本体は、前記集塵ユニットの下方に配置され前記電動送風機からの排気を後方に導く下部流路をさらに備える電気掃除機。
【請求項２】
前記掃除機本体は、前記電動送風機へ電力を供給するためのコードを引出し可能に収容するコードリールをさらに備え、
前記電動送風機及び前記コードリールは、前記集塵ユニットを間に挟んで一列に配置される請求項1に記載の電気掃除機。
【請求項３】
前記電動送風機からの排気は、前記コードリールを介して前記掃除機本体の機外へ排出される請求項２に記載の電気掃除機。
【請求項４】
前記掃除機本体は、前記電動送風機を制御する制御部品を搭載したプリント配線板をさらに備え、
前記プリント配線板は、前記下部流路内に配置される請求項１から３のいずれか１つに記載の電気掃除機。
【発明の詳細な説明】
【技術分野】
【０００１】
この発明は電気掃除機に関する。
【背景技術】
【０００２】
サイクロン方式の電気掃除機としては、掃除機本体の前部に配置された吸い込み口と、前記吸い込み口の後方に円筒の中心軸が掃除機本体の左右方向に水平となる姿勢で配置された集塵室と、前記集塵室の円筒の中心軸方向に並設された送風機および電源供給部とを備え、前記送風機から出た空気流を、基板が配置された短い空気流路を介して排気すると共に、掃除機本体を持ち上げるハンドルを掃除機本体の前側上部に固定した電気掃除機が知られている（例えば、特許文献１参照）。
【先行技術文献】
【特許文献】
【０００３】
【特許文献１】特開２００４−１６６０７号公報
【発明の概要】
【発明が解決しようとする課題】
【０００４】
しかしながら、このような従来の電気掃除機には、送風機から排気口までの空気流路が短いため送風機の騒音が吸収されることなく外部へ漏洩するという問題点がある。
【０００５】
この発明は、このような事情を考慮してなされたもので、送風機の騒音を抑制した電気掃除機を提供するものである。
【課題を解決するための手段】
【０００６】
この発明は、吸引ホース部と掃除機本体とを備え、前記掃除機本体は、前記吸引ホース部が接続される集塵ユニットと、前記吸引ホース部から前記集塵ユニットを介して空気を吸引する電動送風機とを備え、前記電動送風機は、前記集塵ユニットより前方側に配置され、前記掃除機本体は、前記集塵ユニットの下方に配置され前記電動送風機からの排気を後方に導く下部流路をさらに備える電気掃除機を提供するものである。
【発明の効果】
【０００７】
この発明に係る掃除機本体は、吸引ホース部からの空気を集塵ユニットから電動送風機へ導き集塵ユニットの下の下部流路を通って排出させるので、電動送風機から生じる騒音は、下部流路に吸収され、外部への漏洩が抑制される。したがって、この発明によれば、送風機の騒音を抑制した電気掃除機を提供することができる。
【図面の簡単な説明】
【０００８】
【図１】この発明の一実施形態に係る電気掃除機の外観斜視図である。
【図２】図１に示す電気掃除機の掃除機本体の上面図である。
【図３】図１に示す電気掃除機の掃除機本体の側面図である。
【図４】図２に示す掃除機本体の要部分解斜視図である。
【図５】図２に示す掃除機本体の要部分解斜視図である。
【図６】図２に示す掃除機本体の要部分解斜視図である。
【図７】図２に示す掃除機本体の要部分解斜視図である。
【図８】図２のＡ−Ａ矢視断面図である。
【図９】掃除機本体から集塵ユニットを除去した状態を示す図８対応図である。
【図１０】図３のＢ−Ｂ矢視断面図である。
【図１１】図３に示す掃除機本体に備えられる集塵ユニットの外観斜視図である。
【図１２】図１１に示す集塵ユニットの縦断面図である。
【図１３】図８に示す掃除機本体における空気流の流れを示す説明図である。
【図１４】図３に示す掃除機本体のリング状車輪の構成を示す要部断面図である。
【図１５】図３に示す掃除機本体のプリント配線板の配置構造を示す要部断面図である。
【図１６】図３に示す掃除機本体の手提げハンドルの斜視図である。
【図１７】図１６の手提げハンドルの取り付け構造を示す断面図である。
【図１８】図９に示す掃除機本体の断面の斜視図である。
【図１９】図３に示す掃除機本体の後部から見た斜視図である。
【図２０】図３に示す掃除機本体の側面から見た斜視図である。
【図２１】図３に示す掃除機本体の上部から見た斜視図である。
【発明を実施するための形態】
【０００９】
この発明による電気掃除機は、吸引ホース部と掃除機本体とを備え、前記掃除機本体は、前記吸引ホース部が接続される集塵ユニットと、前記吸引ホース部から前記集塵ユニットを介して空気を吸引する電動送風機とを備え、前記電動送風機は、前記集塵ユニットより前方側に配置され、前記掃除機本体は、前記集塵ユニットの下方に配置され前記電動送風機からの排気を後方に導く下部流路をさらに備えることを特徴とする。
【００１０】
前記掃除機本体は、前記電動送風機へ電力を供給するためのコードを引出し可能に収容するコードリールをさらに備え、前記電動送風機及び前記コードリールは、前記集塵ユニットを間に挟んで一列に配置されてもよい。
【００１１】
前記電動送風機からの排気は、前記コードリールを介して前記掃除機本体の機外へ排出されてもよい。
【００１２】
前記掃除機本体は、前記電動送風機を制御する制御部品を搭載したプリント配線板をさらに備え、前記プリント配線板は、前記下部流路内に配置されてもよい。
【００１３】
以下、図面に示す実施形態に基づいて、この発明を詳述する。これによってこの発明が限定されるものではない。
図１は、この発明の実施形態に係る電気掃除機の外観斜視図、図２と図３は、図１に示す電気掃除機の掃除機本体の上面図と側面図である。
【００１４】
これらの図に示すように、電気掃除機１は、サイクロン方式の集塵ユニット５００を離脱可能に内蔵した掃除機本体１００と、吸引ホース部３００とを備える。
【００１５】
吸引ホース部３００は、吸引ホース３０１と、吸引ホース３０１に接続される延長パイプ３０２と、延長パイプ３０２の先端に接続される吸入部３０３と、手元ハンドル３０４と、手元ハンドル３０４に付設された操作部３０５と、ホース接続部３０６を備える。
【００１６】
吸引ホース３０１は接続部３０６を介して掃除機本体１００の前方に離脱可能に接続され、使用者は手元ハンドル３０４を手で保持しながら延長パイプ３０２の先端の吸入部３０３を床面に接触させながら移動させることができる。
【００１７】
掃除機本体１００は両側面に一対のリング状車輪１４０を、前方下部に自在車輪１１７をそれぞれ備えているので、使用者が手元ハンドル３０４を手で保持して移動するとき、掃除機本体１００はその動作に追随することができる。
【００１８】
掃除機本体１００は、床面の塵埃を空気と共に吸入部３０３から延長パイプ３０２と吸引ホース３０１を介して集塵ユニット５００へ吸引するようになっている。
【００１９】
使用者は掃除機本体１００の内部の集塵ユニット５００の集塵状況をリング状車輪１４０の中央開口１４１から目で確認し、適宜、集塵ユニット５００を掃除機本体１００の上部から引出して集塵ユニット５００に集められた塵埃を廃棄することができる。
【００２０】
掃除機本体１００の後方上部には、図２に示すようにコードリール（後述）の電源コードの差込みプラグ１３１と、電源コードの引出し長さを調整するためのブレーキボタン１３２とが設けられている。
【００２１】
また、掃除機本体１００は手提げハンドル１１５を備えるので、作業者は必要に応じて手提げハンドル１１５を把持し、掃除機本体１００を持ち上げて運搬することが可能である。
また、図３の側面図に示すようにリング状車輪１４０の中央開口を介して集塵ユニット５００の集塵状況が目視による確認が可能である。
【００２２】
図４〜図７は掃除機本体１００の分解斜視図、図８は図２のＡ−Ａ矢視断面図、図９は掃除機本体１００から集塵ユニット５００を除去した状態の図８対応図、図１０は図３のＢ−Ｂ矢視断面図である。これらの図を用いて掃除機本体１００の構成を説明する。
【００２３】
掃除機本体１００は、その下部を構成する細長い台車１０１（図４参照）と、台車１０１の前方部に設置され電動送風機１０６（図５参照）を収容するための下部第１筐体１０２（図６参照）と、台車１０１の中央に設置され集塵ユニット５００を収容するための第２筐体１０３（図４参照）と、台車１０１の後方に設置されコードリール１０８（図７参照）を収容するための第３筐体１０７（図７参照）を備える。
【００２４】
電動送風機１０６（図５、図８参照）は、第１筐体１０２の中にその回転軸方向が重力方向を向くように台座１２２（図５参照）を介して設置される。図６に示す第１筐体カバー１０４とダクト１０５が下部第１筐体１０２（図５参照）の上に装着される。
【００２５】
第１筐体カバー１０４（図６参照）は上面に横中継ダクト１０４ａと縦中継ダクト１０４ｂとを備える。ダクト１０５はパッキン１２４を介して集塵ユニット５００の流出ダクト５７１（図１１参照）を縦中継ダクト１０４ｂ（図６参照）に気密に接続するために設けられている。
【００２６】
縦中継ダクト１０４ｂはダクト１０５を電動送風機１０６に接続するために設けられる。横中継ダクト１０４ａ（図６参照）の出入口にはそれぞれパッキン１２５と１２６が装着されている。
【００２７】
横中継ダクト１０４ａは吸引ホース部３００の接続部３０６（図３、図８参照）を集塵ユニット５００の流入口５０３（図１１参照）にパッキン１２５と１２６を介して接続するために設けられている。
【００２８】
これによって、吸引ホース部３００の接続部３０６から横中継ダクト１０４ａを介して集塵ユニット５００の流入口５０３に至る流路と、集塵ユニット５００の流出ダクト５７１からダクト１０５および縦中継ダクト１０４ｂを介して電動送風機１０６に至る流路が形成される。また、集塵ユニット５００の流出ダクト５７１からの流出口と接続されるダクト１０５の流入口と吸引ホース部３００の接続部３０６から横中継ダクト１０４ａの流入口とが同一面側に形成されている。これは、掃除をする際に電動送風機１０６の吸引力により流入口が同一方向に引っ張られることで集塵ユニット５００が安定する状態になる。
【００２９】
下部第１筐体１０２（図５参照）は後方に延出する配線板ケース１０２ａ（図５、図８参照）を備え、配線板ケース１０２ａにはプリント配線板１２０が収容され、ケース底板１１９（図５参照）が装着される。なお、図５に示すように、下部第１筐体１０２は電動送風機１０６とプリント配線板１２０との間に挿入され、例えば樹脂製の多孔板から構成されるフィルタ１２１を備える。
【００３０】
このように構成された下部第１筐体１０２は、台車１０１の前方部に固定され、手提げハンドル１１５を有する上部第１筐体１１４（図６参照）がその上から装着される。
【００３１】
一方、台車１０１の中央に設置された第２筐体１０３（図４参照）は、上部に上部開口１０３ａを、両側面に窓１０３ｂを、窓１０３ｂの周囲にリング状の窓枠１０３ｃをそれぞれ備える。
【００３２】
また、第２筐体１０３の底と台車１０１との間には、電動送風機１０６から排出される空気流を第３筐体１０７の方へ流すための下部流路１３８（図８参照）が形成される。
【００３３】
台車１０１の後方には、電源コード（図示しない）を引出し可能に巻回するコードリール１０８（図７参照）と、コードリール１０８を回転可能に支持するコードリール支持板１２７、１２８などが設けられ、それらが第３筐体１０７（図７参照）によって覆われる。
【００３４】
第３筐体１０７は、コードリール１０８をリール軸が台車１０１の長手方向に平行になるように収容する。また、第３筐体１０７は、電動送風機１０６により生成され下部流路１３８を流れる空気流をコードリール１０８を介して掃除機本体１００の後方に排出するための排気口１３３を備える。これによって、コードリール１０８に巻回されている電源コードが通電時に冷却される。
【００３５】
図４に示す一対の円弧状の補強梁１０９は、第２筐体１０３のリング状の窓枠１０３ｃの上半分と結合するように台車１０１に固定されると共に、図９に示すように、上部第１筐体１１４と第３筐体１０７とを連結する。これによって掃除機本体１００の長手方向の剛性が補強される。
【００３６】
そして、図４に示すように、半円弧状の補強梁１０９と台車１０１の両側からリング状車輪１４０が取り付けられる。リング状車輪１４０は、リング状車輪ガイド１１１と、リング状車輪本体１１０と、リング状車輪カバー１１２と、円弧状化粧カバー１１３を備えている。
【００３７】
このように構成された掃除機本体１００に対して、集塵ユニット５００が、図８〜図１０に示されるように掃除機本体１００の上方から一対の補強梁１０９の間を、第２筐体１０３の上部開口１０３ａ（図４参照）を介して第２筐体１０３内へ装填される。
【００３８】
なお、自在車輪１１７は、電動送風機１０６の真下の位置に自在フレーム１１６（図４参照）を介して台車１０１の外側底面に回転・旋回自在に設けられる。このように電動送風機１０６が前方にあることで重心が前になり、電動送風機１０６の下側に自在車輪１１７も設けることで、掃除をするときに電気掃除機本体１００の前方が浮き上がることが抑制でき、ホース３０１の引っ張りによる電気掃除機本体１００の移動が追随しやすくなる。
【００３９】
このようにして、掃除機本体１００では、台車１０１の前方（吸引ホース部３００の接続側）から長手方向に一列に、電動送風機１０６、集塵ユニット５００およびコードリール１０８が配列され、流路がそれらの上と下に設けられるので、掃除機本体１００の幅寸法を最小にしている。
また、掃除機本体１００の軽量化を図るために、図４に示す台車１０１と第２筐体１０３は、ＰＰ（ポリプロピレン）をベースに化学発泡剤を配合した材料で成型した発泡性樹脂を使用している。発泡性樹脂で成形された部品の形状が、複雑化、薄肉化などの形状により軽量化の値にバラツキが発生するが、発泡性樹脂を使用しない場合に比べて、約５〜８％の軽量化ができる。
したがって、部品の肉厚等を変更することなく、製作された金型をそのまま使用し発泡性樹脂の材料を使用することで軽量化が図れる。
そして、発泡性樹脂の場合、表面に樹脂の流れた跡が目立ちやすく、縞模様になる場合があるので、外観上の見栄えを損なわせないために、台車１０１（図４参照）の外観表面上にシボ加工をしている。なお、第２筐体１０３は、外観上目立たない個所であるが、シボ加工をしてもよい。
また、今回はＰＰ（ポリプロピレン）をベースに化学発泡剤を配合した材料を使用したが、他の材料を使用してもよい。
【００４０】
図１１と図１２は、集塵ユニット５００の外観斜視図と縦断面図である。集塵ユニット５００は、カップカバー５７０、カップカバーハンドル５９１、フィルタユニット５５０、内筒ユニット５３０、ダスト仕切り５３５および有底円筒状のダストカップ５０１を有する。
【００４１】
ダストカップ５０１は集塵状況が外部から目視可能なように透明樹脂から形成される。図１１に示すようにダストカップ５０１の前部の周面には吸引ホース部３００（図１参照）からの空気流が流入する流入口５０３が設けられる。
【００４２】
図１０を参照すると、吸引ホース部３００の接続部３０６は、円筒状のダストカップ５０１の内部円周面にその接線方向から真直ぐに空気が流入するように掃除機本体１００の中心から偏って屈曲している。
【００４３】
電動送風機１０６が作動すると、空気流は接続部３０６と横中継ダクト１０４ａを介してダストカップ５０１に周接線方向に真直ぐに流入し、ダストカップ５０１内に高速の旋回気流を形成する。
【００４４】
これにより、空気流に含まれる塵埃が遠心分離される。集塵ユニット５００は、形成する旋回気流の中心軸が重力方向を向くように設置されているので、遠心分離された塵埃の内、重いものは重力の作用によりダスト仕切５３５の下方に集積される。
ここで、集塵ユニット５００の旋回気流の中心軸が重力方向を向くとは、旋回気流の中心軸が真下を向いている必要はなく、集塵ユニット５００が縦方向にて掃除機本体１００に配置されていればよい。
【００４５】
内筒ユニットの表面には、メッシュフィルタ（図示しない）が設けられており、軽いものは空気流と共に内筒ユニット５３０のスリットを介して上昇するが、大きい塵埃はこのメッシュフィルタによりろ過され、このメッシュフィルタを通過した細かい塵埃は、フィルタユニット５５０によりろ過される。フィルタユニット５５０は山部と谷部とが連続するプリーツフィルタから構成される。ろ過された空気流は流出ダクト５７１を介して電動送風機１０６へ吸引される。
【００４６】
図１３は図８に示す掃除機本体１００における空気流の流路を示す説明図である。
同図に示すように、吸引ホース３０１からの空気流は、接続部３０６を介して電動送風機１０６の上方を通って集塵ユニット５００へ流入する。
【００４７】
流入した空気流は集塵ユニット５００のダストカップ５０１内で旋回流となる。そして、集塵の遠心分離が行われた後、空気流は上昇し、フィルタユニット５５０を通過して電動送風機１０６を通り、集塵ユニット５００の下方に台車１０１の縦方向に形成された下部流路１３８に入る。
【００４８】
そして、空気流は下部流路１３８中に設置された配線板ケース１０２ａの中をプリント配線板１２０を冷却しながら通過した後、コードリール１０８の中を通って分散される。分散された空気流は、第３筐体１０７の背面に設けられた排気口１３３から外へ排出される。
【００４９】
従って、電動送風機１０６から空気流に乗って外へ出ようとする騒音は、集塵ユニット５００の下方に台車１０１の縦方向に形成された長い下部流路１３８によって減衰されると共に、下部流路１３８中の配線板ケース１０２ａと第３筐体１０７内のコードリール１０８とによって分散・吸収される。これによって、掃除機本体１００から外へ出る電動送風機１０６の騒音は効果的に低下する。
【００５０】
また、図１３に示すように、空気流の流路は掃除機本体１００の上部と下部に分けて設けられ、側面部分に設けられていないので、掃除機本体１００の横幅は最小限に小さくなっている。
【００５１】
図１４はリング状車輪１４０の詳細な構成を示す要部断面図である。図１４はリング状車輪１４０の回転方向と垂直な方向の縦断面を示しており、紙面より見て左側が台車１０１側である。同図に示すように、リング状車輪１４０では、上側の補強梁１０９と下側の台車１０１とにわたって潤滑性を有するリング状車輪ガイド１１１が取り付けられる。
【００５２】
リング状車輪ガイド１１１の外周側には、リング状車輪本体１１０がリング状車輪ガイド１１１に対して摺動可能に嵌着されている。さらに、リング状車輪ガイド１１１及びリング状車輪本体１１０の外側には、リング状車輪カバー１１２が第２筐体１０３の窓枠１０３ｃへ固定され、リング状車輪本体１１０の車輪ガイド１１１からの脱落を防止する。
【００５３】
そして、補強梁１０９の上部からリング状車輪１４０を覆うように円弧状化粧カバー１１３が取付けられる。このようにして中央開口１４１を中央に有するリング状車輪１４０が形成される。
このリング状車輪１４０の大きさを占める割合が、通常の電気掃除機本体の全体の大きさに対して大半を占めるように形成されている。これは、電気掃除機本体１００の高さと略同じ長さの直径を有するリング状車輪１４０が形成されている。そして、リング状車輪１４０が電気掃除機本体１００全体の略中央部分に配置されており、このリング状車輪１４０が大きいことにより安定感を感じて見え、略中央部分にリング状車輪１４０があるので常に目につきやすく両サイドにあるリング状車輪１４０の中央部分から集塵ユニット５００に集積された塵埃の状況を目視確認することができる。
本実施形態においては、リング状車輪１４０がその中央部において中央開口１４１を有する場合について説明したが、本発明は、それだけに限定されない。例えば、リング状車輪カバー１１２の代わりに、中央に開口を有さず掃除機本体１００側面の中央部を覆うように構成された車輪カバーを用いてもよい。この場合には、該車輪カバーの内少なくとも一部を、例えば透明性を有する樹脂等で形成することによって、本実施形態と同様に、集塵ユニット５００の集塵状況を目視可能とすることができる。また、このように構成することによって、掃除機本体１００の横幅を小さく保ったまま、掃除機本体１００の長手方向の剛性を補強することができる。
【００５４】
図１５は配線板ケース１０２ａの詳細な構成を示す要部断面図である。同図に示すように、多数の通風孔を有する配線板ケース１０２ａの内部に、電動送風機１０６を制御する制御部品と回路とを搭載したプリント配線板１２０が設置されている。
【００５５】
プリント配線板１２０は吊り下げ部材１４３により配線板ケース１０２ａ内で吊り下げられ、外部からの機械的な衝撃からプリント配線板１２０を保護するようになっている。プリント配線板１２０は、制御部品及び回路が設けられる表面を上方に向けて吊り下げられている。プリント配線板１２０の表面には、電動送風機１０６から配線板ケース１０２ａに流入する空気流れの途中に、電動送風機１０６用の電力制御素子の発熱を放熱する放熱フィン１２０ａが設けられている。
電気掃除機１の使用時においては、例えば被掃除面に存在する段差を乗り越える際、掃除機本体１００には、下方より衝撃が加わる。そして、掃除機本体１００の下方側に構成されている台車１０１側にプリント配線基板１２０が取り付けられていると衝撃が直接加わることになるが、プリント配線板１２０が吊り下げ部材１４３によって配線板ケース１０２ａ内で吊り下げられている場合には、掃除機本体１００に下方より加えられた衝撃は、掃除機本体１００の台車１０１及び配線板ケース１０２ａに加えて、吊り下げ部材１４３を介してプリント配線板１２０に伝わることになる。したがって、加えられた衝撃は減衰されてプリント配線板１２０に伝わることになり、プリント配線板１２０の損傷を防止することができる。なお、吊り下げ部材１４３には、弾性部材を用いてもよい。この場合には、弾性部材によって、プリント配線板１２０に伝わる衝撃をさらに減縮することができる。
【００５６】
配線板ケース１０２ａの底部は、多数の通風孔を有するケース底板１１９により閉鎖されている。配線板ケース１０２ａおよびケース底板１１９の多数の通風孔は、下部流路１３８の中において電動送風機１０６からの空気流が配線板ケース１０２ａ内を通過し、プリント配線板１２０を効率よく冷却するようにするために設けられている。
【００５７】
配線板ケース１０２ａの電動送風機１０６側の壁には前述のようにフィルター（樹脂製多孔板）１２１が設けられ、電動送風機１０６からモータ用ブラシなどの破片が配線板ケース１０２ａへ侵入することを防止している。
このように構成された配線板ケース１０２ａにおいて、電動送風機１０６から流出した空気流れは、図１５の紙面より見て左側よりフィルター１２１を通って、配線板ケース１０２ａ内に流入する。さらに詳細に現した図１８に示すように配線板ケース１０２ａ内に流入した空気流れは、プリント配線板１２０の表面に沿うようにして流れ、配線板ケース１０２ａの通風孔から紙面より見て右側に流出する（図１３参照）。また、配線板ケース１０２ａ内に流入した空気流れの一部は、プリント配線板１２０及びケース底板１１９の隙間を通過すると共に、ケース底板１１９からも流出する。したがって、プリント配線板１２０は、配線板ケース１０２ａ内に流入した上記空気流れによって十分に冷却することができる。また、プリント配線板１２０の表面（図面では上面）には、空気流れの途中に、放熱フィン１２０ａが設けられているので、プリント配線板１２０からの放熱がさらに促進される。
【００５８】
図１６は図１〜図３に示す掃除機本体１００の手提げハンドル１１５の斜視図である。同図に示すように手提げハンドル１１５はＵ字型であり、回転軸を受入れる一対の凹部１４４を内側に備える。
【００５９】
図１７は図１６に示す手提げハンドル１１５の取り付け構造を示す断面図である。同図に示すように上部第１筐体１１４の両側に水平方向に突出する一対の回転支軸１４５が形成されている。一方、手提げハンドル１１５は弾性変形可能な樹脂から形成されている。
【００６０】
そこで、手提げハンドル１１５は、その弾性変形を利用して一対の凹部１４４の間隔が大きくなるように左右に開かれ、手提げハンドル１１５の一対の凹部１４４に上部第１筐体１１４の一対の回転支軸１４５が同時に嵌入される。
【００６１】
それによって、手提げハンドル１１５は、上部第１筐体１１４に回転支軸１４５を中心にして回転できるように取付けられる。
【００６２】
予めこのように手提げハンドル１１５を取付けた上部第１筐体１１４（図６参照）を、前述のように下部第１筐体１０２に固定した後、補強梁１０９を上部第1筐体１１４に取り付けることにより、図１７に示すように手提げハンドル１１５が両側から補強梁１０９により挟まれる。従って、手提げハンドル１１５が上部第１筐体１１４から脱落することが防止される。
【００６３】
なお、手提げハンドル１１５は、掃除機本体１００の構成部品の内、最も重い電動送風機１０６の上方に、つまり掃除機本体１００の重心の近傍に設けられている。それによって、手提げハンドル１１５を支点とする掃除機本体１００の回転モーメントが小さくなり、手提げハンドル１１５を握って掃除機本体１００を持ち上げたときに、掃除機本体１００の揺動が小さく、持ち運びが容易である。
図１８に示すように、電気掃除機本体１００の後部には、イオン発生装置１４６が取り付けられており、電動送風機１０６からの送風と集塵ユニットによりろ過された空気流に沿って、イオン発生装置１４６より放出されたイオンが図１９に示すようにイオン放出口１３９より外部へ放出される。
イオン発生装置は、電動送風機１０６から電気掃除機本体１００より外部に排気されるまでの空気通路に配される。イオン発生装置は空気通路に面したイオン発生面上に複数の電極を有している。電極には交流波形またはインパルス波形から成る電圧が印加される。電極の印加電圧が正電圧の場合はイオンが空気中の水分と結合して主としてＨ+（Ｈ2Ｏ）ｍから成るプラスイオンを発生する。電極の印加電圧が負電圧の場合はイオンが空気中の水分と結合して主としてＯ2-（Ｈ2Ｏ）ｎから成るマイナスイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。プラスイオン及びマイナスイオンを発生して空気通路１２内に放出することにより、イオンが室内に送出される。これにより、室内の殺菌及び脱臭を行うことができる。
Ｈ+（Ｈ2Ｏ）ｍ＋Ｏ2-（Ｈ2Ｏ）ｎ→・ＯＨ＋１／２Ｏ2＋（ｍ＋ｎ）Ｈ2Ｏ  ・・・（１）
Ｈ+（Ｈ2Ｏ）ｍ＋Ｈ+（Ｈ2Ｏ）ｍ’＋Ｏ2-（Ｈ2Ｏ）ｎ＋Ｏ2-（Ｈ2Ｏ）ｎ’
→  ２・ＯＨ＋Ｏ2＋（ｍ＋ｍ’＋ｎ＋ｎ’）Ｈ2Ｏ  ・・・（２）
Ｈ+（Ｈ2Ｏ）ｍ＋Ｈ+（Ｈ2Ｏ）ｍ’＋Ｏ2-（Ｈ2Ｏ）ｎ＋Ｏ2-（Ｈ2Ｏ）ｎ’
→  Ｈ2Ｏ2＋Ｏ2＋（ｍ＋ｍ’＋ｎ＋ｎ’）Ｈ2Ｏ  ・・・（３）
また、図１９に示すように差込みプラグ１３１を引き出した際のコードが、差込みプラグ１３１が収納されてコードが収まっているコード引出し口から急激に屈曲したときに、コードがうける負荷を軽減するために、差込み口付近に壁部１５０を形成している。
また、図２０は、プリント基板１２０に設けられたコネクタ１２０ｂが見えるように掃除機本体１００からリング状車輪カバー１１２を取り外した状態を示す。電気掃除機１の制御プログラムをバージョンアップするときや、電気掃除機の性能検査などをするときにこのコネクタ１２０ｂを利用して行うようになっている。そして、図２１は、図２１より第２筐体１０３を取り外した状態を示し、プリント基板１２０とコネクタ１２０ｂの配置関係を表したものである。
【００６４】
上記の実施形態で説明した電気掃除機１の構成について、以下に纏める。ここで、電気掃除機１は、以下の構成の全部を備える必要はない。また、本発明の電気掃除機は、以下の構成を適宜組み合わせることができる。
【００６５】
（１）電気掃除機１は、吸引ホース部３００と掃除機本体１００とを備える。
（２）吸引ホース部３００は、吸引ホース３０１と、吸引ホース３０１を掃除機本体１００に接続する接続部３０６と、吸引ホース３０１を延長する延長パイプ３０２と、延長パイプ３０２の先端に設けられた吸引部３０３とを備える。
【００６６】
（３）掃除機本体１００は、吸引ホース部３００が接続され旋回気流によって集塵する集塵ユニット５００と、吸引ホース部３００から集塵ユニット５００を介して空気を吸引する電動送風機１０６と、電動送風機１０６へ電力を供給するためのコードを引出し可能に収容するコードリール１０８と、細長い台車１０１とを備える。
【００６７】
（４）電動送風機１０６と集塵ユニット５００とコードリール１０８は、集塵ユニット５００を間に挟んで一列に、台車１０１にその長手方向に設置される。
（５）吸引ホース部３００は、台車１０１の長手方向に沿って伸びるように集塵ユニット５００に接続され、電動送風機１０６はその送風方向が重力方向を向くように、集塵ユニット５００はその旋回気流の軸が重力方向を向くように台車１０１に設置される。
（６）台車１０１は、中央に中央開口１４１を有するリング状車輪１４０を備え、集塵ユニット５００の集塵状況が開口１４１を介して目視可能である。
【００６８】
（７）電動送風機１０６を収容する第１筐体、つまり下部第１筐体１０２および上部第１筐体１１４と、集塵ユニット５００を収容し側面に窓１０３ｂを有する第２筐体１０３と、コードリール１０８を収容する第３筐体１０７とを備える。
【００６９】
（８）第１、第２および第３筐体（１０２，１１４，１０３，１０７）は、第２筐体１０３を間に挟んで一列に台車１０１にその長手方向に沿って設置される。
（９）集塵ユニット５００の集塵状況が窓１０３ｂを介して外から目視可能である。
【００７０】
（１０）台車１０１が複数の車輪を備え、少なくとも１つの車輪が中央に中央開口１４１を有するリング状車輪１４０であり、集塵ユニット５００の集塵状況が中央開口１４１と窓１０３ｂを介して外から目視可能である。
【００７１】
（１１）掃除機本体１００は、第２筐体１０３の上を越えて上部第１筐体１１４と第３筐体１０７とをつなぐ２本の補強梁１０９を備え、第２筐体１０３は上部に開口１０３ａを有し、集塵ユニット５００は２本の補強梁１０９の間から開口１０３ａを介して離脱可能に第２筐体１０３に装填される。
【００７２】
（１２）細長い台車１０１は、補強梁１０９にその一部が支持され中央に中央開口１４１を有するリング状車輪１４０を備える。
【００７３】
（１３）第２筐体１０３は側面に窓１０３ｂを有し、集塵ユニット５００の集塵状況が中央開口１４１と窓１０３ｂを介して外から目視可能である。
（１４）掃除機本体１００は、吸引ホース部３００からの空気を集塵ユニット５００から電動送風機１０６へ導き、集塵ユニット５００の下を通ってコードリール１０８を介して排出させる流路を備える。
【００７４】
（１５）掃除機本体１００は、電動送風機１０６を制御する制御部品を搭載したプリント配線板１２０を備え、プリント配線板１２０は流路中に吊り下げ部材１４３により吊り下げられる。
（１６）吊り下げ部材１４３は弾性部材から構成される。
【００７５】
（１７）掃除機本体１００は、筐体（１０２，１１４）に設けられ掃除機本体１００を持ち上げて運搬するための手提げハンドル１１５を備え、筐体（１０２，１１４）はその両側面から台車１０１の幅方向に突出する一対の回転支軸１４５を有し、手提げハンドル１１５は、回転支軸１４５にそれぞれ回転可能にはまり込む一対の凹部１４４を備え、掃除機本体１００は手提げハンドル１１５が筐体（１０２，１１４）から離脱することを防止する防止部材（１０９）を備える。
（１８）手提げハンドル１１５は弾性変形可能で、その弾性変形により凹部１４４が回転支軸１４５にはまり込み可能である。
【符号の説明】
【００７６】
１      電気掃除機
１００  掃除機本体
１０１  台車
１０２  下部第１筐体
１０２ａ  配線板ケース
１０３  第２筐体
１０６  電動送風機
１０７  第３筐体
１０８  コードリール
１１５  手提げハンドル
１４０  リング状車輪
３００  吸引ホース部
３０１  吸引ホース
３０２  延長パイプ
３０３  吸入部
３０４  手元ハンドル
３０５  操作部
３０６  接続部
５００  集塵ユニット
５０１  ダストカップ
【図１】
2014068793.tif 000003
【図２】
2014068793.tif 000004
【図３】
2014068793.tif 000005
【図４】
2014068793.tif 000006
【図５】
2014068793.tif 000007
【図６】
2014068793.tif 000008
【図７】
2014068793.tif 000009
【図８】
2014068793.tif 000010
【図９】
2014068793.tif 000011
【図１０】
2014068793.tif 000012
【図１１】
2014068793.tif 000013
【図１２】
2014068793.tif 000014
【図１３】
2014068793.tif 000015
【図１４】
2014068793.tif 000016
【図１５】
2014068793.tif 000017
【図１６】
2014068793.tif 000018
【図１７】
2014068793.tif 000019
【図１８】
2014068793.tif 000020
【図１９】
2014068793.tif 000021
【図２０】
2014068793.tif 000022
【図２１】
2014068793.tif 000023